【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
信号シミュレーション部分と、
前記信号シミュレーション部分と動作可能なように接続されるテスト部分とを含み、
前記信号シミュレーション部分は、
テストデータを受信する入力インターフェイスと、
前記テストデータに基づいてシミュレーション信号を発生するロジックを含むシミュレーション信号発生回路と、
一つ又は多数のテストされる信号伝送設備の一端に接続するように構成され、前記シミュレーション信号を出力する出力インターフェイスと、
を含み、
前記テスト部分は、
配線装置を形成するために使用される配線拡張装置であって、前記一つ又は多数のテストされる信号伝送設備の他端に接続され、前記一つ又は多数のテストされる信号伝送設備を経る前記シミュレーション信号を受信するように構成された配線拡張装置と、
前記配線拡張装置からのシミュレーション信号を受信して、前記シミュレーション信号から、伝送されたテストデータを取得するように構成されたデジタル航空機状況データ収集ユニット（DFDAU）と、
前記テストデータと、取得された伝送されたテストデータとが一致するかどうかを決定するために、前記テストデータと、取得された伝送されたテストデータとを比較する
ように構成されたロジックを含む比較回路と、
を含む、DFDAUに基づくテスト装置。
【請求項２】
前記テストデータは航空通信標準に基づいて作成された航空機状況データ又は制御命令データを含む請求項1に記載のテスト装置。
【請求項３】
前記テストデータは航空機のクイックアクセスレコーダーQARからの航空機状況データ又は制御命令データを含む請求項1に記載のテスト装置。
【請求項４】
前記DFDAUは前記配線拡張設備からのシミュレーション信号を航空機状況データ又は制御命令データに転換して放送し、前記比較回路は前記テストデータとDFDAUによって放送された航空機状況データ又は制御命令データとを比較する請求項2に記載のテスト装置。
【請求項５】
前記DFDAUは前記配線拡張設備からのシミュレーション信号を航空機状況データ又は制御命令データに転換し、メッセージトリガロジックに基づいてテストされる航空機信号伝送設備に関するメッセージを発生し、前記比較回路は前記テストデータと前記テストされる航空機信号伝送設備に関するメッセージの中の航空機状況データ又は制御命令データとを比較する請求項2に記載のテスト装置。
【請求項６】
シミュレーション信号発生回路はさらに、離散信号発生ユニット、電圧信号発生ユニット、アナログ信号発生ユニット及び/又はバス信号発生ユニットを含み、前記入力インターフェイスがバスシステムによって、各離散信号発生ユニット、電圧信号発生ユニット、アナログ信号発生ユニット及び/又はバス信号発生ユニットに接続される請求項1に記載のテスト装置。
【請求項７】
前記離散信号発生ユニットはオンオフ信号発生ユニットを含む請求項6に記載のテスト装置。
【請求項８】
前記オンオフ信号発生ユニットは継電器マトリックス又はスイッチマトリックスを含む請求項7に記載のテスト装置。
【請求項９】
前記アナログ信号発生ユニットには、交流電圧比率（ACVR）信号発生ユニットを含み、前記ACVR信号発生ユニットは、
電源に接続され、有効値と頻度を有した交流電圧信号を発生するように構成された交流電圧信号転換ユニットと、
デジタル信号を受信するように構成されたデジタル信号サブ回路と、
前記交流電圧信号と前記デジタル信号を受信して、前記デジタル信号に基づいて交流電圧比率信号を発生させるように構成された変調器と、及び
前記交流電圧比率信号を出力するように構成された出力変圧器と、を含む請求項6に記載のテスト装置。
【請求項１０】
前記デジタル信号サブ回路は、
前記バスシステムに接続され、前記バスシステムからのデジタル信号を受信するためのバスアダプターと、
前記デジタル信号を駆動するために使用されるバス駆動回路と、及び
該デジタル信号の電気レベルを前記変調器に必要とされる電気レベルに転換する電気レベル転換回路と、を含む請求項9に記載のテスト装置。
【請求項１１】
前記変調器は前記デジタル信号サブ回路から入力されたデジタル信号に基づいて前記交流電圧信号の有効値に対して変調して、相応する交流電圧比率信号を発生させる請求項9に記載のテスト装置。
【請求項１２】
前記アナログ信号発生ユニットには、シンクロ（SYNC）信号発生ユニットを含み、前記シンクロ信号（SYNC）信号発生ユニットには、
電源に接続されて、２組の交流電圧信号発生させるように構成された交流電圧信号転換単元と、
入力されたデジタル信号受信をするように構成されたデジタル信号サブ回路と、
前記２組の交流電圧信号を前記デジタル信号に基づく位相差を有する２組の交流電圧信号に転換するように構成された変調器と、
位相差を有する前記２組の交流電圧信号に対して電力増幅するように構成された第一増幅器及び第二増幅器と、
増幅された、位相差を有する前記２組の交流電圧信号を出力するように構成された出力変圧器と、を含む請求項6に記載のテスト装置。
【請求項１３】
前記変調器は、sin乗算器とcos乗算器を含み、前記２組の交流電圧信号がそれぞれに前記sin乗算器と前記cos乗算器に入って、前記位相差を有する２組の交流電圧信号に転換される請求項12に記載のテスト装置。
【請求項１４】
前記バス信号発生ユニットにはARINC429バス信号発生ユニット、ARINC629バス信号発生ユニット、又はそれらの組み合わせを含む請求項6に記載のテスト装置。
【請求項１５】
前記信号発生回路により発生されたシミュレーション信号に対して調節するように構成された信号調節アダプターを更に含む請求項6に記載のテスト装置。
【請求項１６】
前記配線拡張装置は配線ボードを含み、前記配線ボードは、
多数のプラグ配線孔を含み、それぞれのプラグ配線孔が前記シミュレーション信号発生回路の一つの出力信号に通信可能に接続できる配線ボードパネルと、
複数の出力インターフェイスであって、それぞれの出力インターフェイスは複数の出力端子を含み、それぞれの出力端子が前記配線ボードパネルの一つのプラグ配線孔に対応する、複数の出力インターフェイスと、
を含み、
出力インターフェイスが、出力インターフェースの種類に基づいてそれぞれ前記DFDAUの対応する種類の入力インターフェイスに接続される請求項1に記載のテスト装置。
【請求項１７】
前記配線ボードパネルは、アナログ信号区域、バス信号区域、電源アクセス区域、及びアースアクセス区域を含む請求項16に記載のテスト装置。
【請求項１８】
前記配線ボードは、前記配線ボードパネルの各入力信号と前記複数の出力インターフェイスの各出力端子とを自動的に切替するように構成されたロジックを含む自動切替回路を含む請求項16に記載のテスト装置。
【請求項１９】
前記配線拡張装置は、
複数の入力端子を含み、それぞれの入力端子が前記シミュレーション信号発生回路の一つの出力信号に通信可能に接続できる、入力インターフェイスと、
複数の出力端子を含み、それぞれの出力端子が前記配線ボードパネルの一つのプラグ配線孔に対応する出力インターフェイスと、を含み、
前記配線拡張装置は、前記入力インターフェイスの各入力端子と前記複数の出力インターフェイスの各出力端子とを自動的に切替するように構成されたロジックを含む自動切替回路を含む請求項1に記載のテスト装置。
【請求項２０】
前記自動切替回路はさらに行と列に配置されるスイッチマトリックスを含む請求項18に記載のテスト装置。
【請求項２１】
前記配線拡張装置は、
接続線路の電流と電圧を測量することによって、前記接続線路が失効するかどうかを検査するロジックを含むマルチメーター回路と、
接続線路を自動的に切替して、前記マルチメーター回路を異なる接続線路に接続するように構成されたロジックを含む線路走査回路と、を含む配線ボードパネルを含む請求項1に記載のテスト装置。
【請求項２２】
一つ又は多数のテストされる前記信号伝送設備の一端が前記テスト装置の前記シミュレーション信号発生部分の前記出力インターフェイスに接続され、
一つ又は多数のテストされる信号伝送設備の他端が前記テスト部分の前記配線拡張装置に接続され、
前記テスト部分は、前記一つ又は多数の信号伝送設備から追加テストデータを受信するように構成され、
前記シミュレーション信号発生回路は、前記追加テストデータに基づき、もう一つのシミュレーション信号を発生させ、
前記テスト部分は、前記配線拡張装置からもう一つのシミュレーション信号を受信するように構成され、
前記比較回路は、前記配線拡張装置からの前記もう１つのシミュレーション信号に基づき、入力インターフェースに入力された前記追加テストデータとテストデータとを比較するように構成される、請求項1に記載のテスト装置。
【請求項２３】
前記テストデータは、航空通信標準に基づいて書かれた航空機状況データ又は制御命令データを含む請求項22に記載のテスト装置。
【請求項２４】
前記テストデータは、航空機クイックアクセスレコーダーQARからの航空機状況データ又は制御命令データを含む請求項22に記載のテスト装置。
【請求項２５】
前記DFDAUは前記配線拡張装置からのシミュレーション信号を航空機状況データ又は制御命令データに転換し、前記航空機状況データ又は制御命令データを放送するようにさらに構成され、前記比較ステップは、入力インターフェイスに入力された前記テストデータと、DFDAUによって放送された航空機状況データ又は制御命令データとを比較するステップを含む請求項23に記載のテスト装置。
【請求項２６】
前記DFDAUは前記配線拡張装置からのシミュレーション信号を航空機状況データ又は制御命令データに転換して、メッセージトリガロジックに基づいて、テストされる航空機信号伝送設備に関するメッセージを発するようにさらに構成され、前記テスト部分は、入力インターフェイスに入力された前記テストデータと、前記テストされる航空機信号伝送設備に関するメッセージの中の航空機状況データ又は制御命令データとを比較するようにさらに構成される、請求項22に記載のテスト方法。